(57)【要約】【課題】より低いコストで高い利便性を有する受信装置、送信装置、及び送受信システムを提供する。【解決手段】一実施形態に係る受信装置は、ＭＨＬ規格に基づくＭＨＬケーブルにより接続された送信装置から送信されたストリームを受信する受信装置であって、前記ＭＨＬケーブルが接続される複数のＨＤＭＩ端子と、前記ＨＤＭＩ端子に入力された前記ストリームをＭＨＬ規格に基づいて信号処理するＭＨＬ処理部と、前記ＭＨＬケーブルが接続されているか否かに基づいて前記複数のＨＤＭＩ端子と前記ＭＨＬ処理部との接続を切り替えるスイッチと、を具備する。【選択図】      図５
2015005800.tif 000002
【特許請求の範囲】
【請求項１】
ＭＨＬ規格に基づくＭＨＬケーブルにより接続された送信装置から送信されたストリームを受信する受信装置であって、
前記ＭＨＬケーブルが接続される複数のＨＤＭＩ端子と、
前記ＨＤＭＩ端子に入力された前記ストリームをＭＨＬ規格に基づいて信号処理するＭＨＬ処理部と、
前記ＭＨＬケーブルが接続されているか否かに基づいて前記複数のＨＤＭＩ端子と前記ＭＨＬ処理部との接続を切り替えるスイッチと、
を具備する受信装置。
【請求項２】
複数の前記ＭＨＬ処理部を具備し、前記スイッチは、前記ＭＨＬケーブルが接続されているか否かに基づいて前記複数のＨＤＭＩ端子と複数の前記ＭＨＬ処理部との接続を切り替える、請求項１に記載の受信装置。
【請求項３】
前記スイッチは、複数の前記ＭＨＬ処理部のうちで信号処理が可能な前記ＭＨＬ処理部が存在しない場合、１つの前記ＨＤＭＩ端子と前記ＭＨＬ処理部との接続をオフし、接続がオフされた前記ＭＨＬ処理部に新たに前記ＭＨＬケーブルが接続された前記ＨＤＭＩ端子を接続する、請求項２に記載の受信装置。
【請求項４】
ＭＨＬケーブルが接続される複数のＨＤＭＩ端子と、前記ＨＤＭＩ端子に入力されたストリームをＭＨＬ規格に基づいて信号処理するＭＨＬ処理部と、前記ＭＨＬケーブルが接続されているか否かに基づいて前記複数のＨＤＭＩ端子と前記ＭＨＬ処理部との接続を切り替えるスイッチと、を具備する受信装置に前記ＭＨＬ規格に基づく前記ＭＨＬケーブルによりストリームを送信する送信装置であって、
前記受信装置に送信するストリームを生成するストリーム生成部と、
前記ストリームを前記受信装置に出力するストリーム出力部と、
を具備する送信装置。
【請求項５】
ストリームを送信する送信装置と、ＭＨＬ規格に基づくＭＨＬケーブルにより接続された前記送信装置から送信されたストリームを受信する受信装置と、を有する送受信システムであって、
前記送信装置は、
前記受信装置に送信するストリームを生成するストリーム生成部と、
前記ストリームを前記受信装置に出力するストリーム出力部と、
を具備し、
前記受信装置は、
前記ＭＨＬケーブルが接続される複数のＨＤＭＩ端子と、
前記ＨＤＭＩ端子に入力された前記ストリームをＭＨＬ規格に基づいて信号処理するＭＨＬ処理部と、
前記ＭＨＬケーブルが接続されているか否かに基づいて前記複数のＨＤＭＩ端子と前記ＭＨＬ処理部との接続を切り替えるスイッチと、
を具備する送受信システム。
【発明の詳細な説明】
【技術分野】
【０００１】
本発明の実施形態は、受信装置、送信装置、及び送受信システムに関する。
【背景技術】
【０００２】
従来、映画、テレビ番組、またはゲームなどの映像コンテンツ（ストリーム）を記録（録画）、及び再生することができる電子機器が一般的に普及している。
【０００３】
また、ＨＤＭＩ（High Definition Multimedia Interface）（登録商標）、及びＭＨＬ（Mobile High-definition Link）（登録商標）などのストリームを伝送する為の規格に対応した電子機器が一般的に普及している。
【０００４】
ストリームを出力する側の電子機器（ソース機器）は、ストリームを受信する側の電子機器（シンク機器）に対してストリームを出力する。シンク機器は、受信したストリームを再生し、再生した映像をディスプレイに表示させる。また、ソース機器及びシンク機は、互いにＭＨＬにより接続されている場合、相互的に相手の機器を操作及び制御することができる。
【先行技術文献】
【特許文献】
【０００５】
【特許文献１】特開２０１０−１５２９１８号公報
【発明の概要】
【発明が解決しようとする課題】
【０００６】
上記したようなシンク機器は、ＨＤＭＩ規格に対応した複数のＨＤＭＩ端子を備える。また、シンク機器は、ＭＨＬ規格に基づく信号処理を行うＩＣが設けられたＨＤＭＩ端子を備える。しかし、このようなＩＣが設けられていないＨＤＭＩ端子にＭＨＬ規格によりソース機器が接続されても、シンク機器は信号を処理することができない。また、このようなＩＣが各端子毎に設けられた場合、コストが嵩むという課題がある。
【０００７】
本発明の目的は、より低いコストで高い利便性を有する受信装置、送信装置、及び送受信システムを提供することである。
【課題を解決するための手段】
【０００８】
一実施形態に係る受信装置は、ＭＨＬ規格に基づくＭＨＬケーブルにより接続された送信装置から送信されたストリームを受信する受信装置であって、前記ＭＨＬケーブルが接続される複数のＨＤＭＩ端子と、前記ＨＤＭＩ端子に入力された前記ストリームをＭＨＬ規格に基づいて信号処理するＭＨＬ処理部と、前記ＭＨＬケーブルが接続されているか否かに基づいて前記複数のＨＤＭＩ端子と前記ＭＨＬ処理部との接続を切り替えるスイッチと、を具備する。
【図面の簡単な説明】
【０００９】
【図１】図１は、一実施形態に係る送受信システムについて説明する為の図である。
【図２】図２は、一実施形態に係る送受信システムについて説明する為の図である。
【図３】図３は、一実施形態に係る送受信システムについて説明する為の図である。
【図４】図４は、一実施形態に係る送受信システムについて説明する為の図である。
【図５】図５は、一実施形態に係る送受信システムについて説明する為の図である。
【図６】図６は、一実施形態に係る送受信システムについて説明する為の図である。
【図７】図７は、一実施形態に係る送受信システムについて説明する為の図である。
【図８】図８は、一実施形態に係る送受信システムについて説明する為の図である。
【図９】図９は、一実施形態に係る送受信システムについて説明する為の図である。
【発明を実施するための形態】
【００１０】
以下、図を参照しながら、一実施形態に係る受信装置、送信装置、及び送受信システムについて詳細に説明する。
【００１１】
図１は、複数の電子機器により構成される送受信システム１の例を示す。送受信システム１は、例えば、映像処理装置１００、携帯端末２００、及び無線通信端末３００などを有する。
【００１２】
映像処理装置１００は、例えば、放送信号、または記憶媒体に記憶されている映像コンテンツなどを再生することができる放送受信装置などの電子機器である。映像処理装置１００は、リモートコントローラ１６３と無線通信することができる。
【００１３】
携帯端末２００は、ディスプレイ、操作部、及び通信部を備える電子機器である。携帯端末２００は、例えば、携帯電話端末、タブレット型ＰＣ、携帯音楽プレイヤー、ゲーム機、ＤＶＤ(Digital Versatile Disc)レコーダ、セットトップボックス、または他の電子機器である。
【００１４】
無線通信端末３００は、映像処理装置１００及び携帯端末２００と無線または有線で通信することができる。即ち、無線通信端末３００は、無線通信のアクセスポイントとして機能する。また、無線通信端末３００は、外部のクラウドサービスなどのネットワーク４００に接続することができる。即ち、無線通信端末３００は、映像処理装置１００または携帯端末２００からのリクエストに応じてネットワーク４００にアクセスすることができる。これにより、映像処理装置１００及び携帯端末２００は、無線通信端末３００を介してネットワーク４００上のサーバから種々のデータを取得することができる。
【００１５】
また、映像処理装置１００は、携帯端末２００とＭＨＬに対応した通信ケーブル（ＭＨＬケーブル）により接続されている。ＭＨＬケーブルは、一方にＨＤＭＩ規格に対応した形状の端子（ＨＤＭＩ端子）を有し、他方にＵＳＢ規格（例えばｍｉｃｒｏ  ＵＳＢ）に対応した形状の端子（ＵＳＢ端子）を有するケーブルである。
【００１６】
ＭＨＬは、映像及び動画を含む動画データ（ストリーム）を伝送することができるインタフェース規格である。ＭＨＬでは、ストリームを出力する側の電子機器（ソース機器）が、ストリームを受信する側の電子機器（シンク機器）に対してＭＨＬケーブルによりストリームを出力する。シンク機器は、受信したストリームを再生し、再生した映像をディスプレイに表示させることができる。また、ソース機器及びシンク機は、ＭＨＬケーブルで接続された機器にコマンドを送信することにより、相手の機器を操作及び制御することができる。
【００１７】
図２は、一実施形態に係る映像処理装置１００の例を示す。  
映像処理装置１００は、例えば、放送信号、または記憶媒体に記憶されている映像コンテンツなどを再生することができる放送受信装置、またはレコーダなどの電子機器である。
【００１８】
映像処理装置１００は、チューナ１１１、復調部１１２、信号処理部１１３、音声処理部１２１、映像処理部１３１、表示処理部１３３、制御部１５０、ストレージ１６０、操作入力部１６１、受光部１６２、ＬＡＮインターフェース１７１、及び有線通信部１７３を備える。また、映像処理装置１００は、さらにスピーカ１２２及びディスプレイ１３４を備える。
【００１９】
チューナ１１１は、例えばアンテナ１０１により受信されたディジタル放送信号を受け取ることができる。アンテナ１０１は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。チューナ１１１は、上記したディジタル放送信号により供給される番組などのコンテンツのデータ（ストリーム）を受け取ることができる。
【００２０】
チューナ１１１は、ディジタル放送信号用のチューナである。チューナ１１１は、受け取ったディジタル放送信号のチューニング（選局）を行う。チューナ１１１は、チューニングしたディジタル放送信号を復調部１１２に送信する。なお、映像処理装置１００は、複数のチューナ１１１を備えていてもよい。映像処理装置１００は、複数のチューナにより複数の放送信号を同時に選局することができる。
【００２１】
復調部１１２は、受信したディジタル放送信号を復調する。これにより、復調部１１２は、ディジタル放送信号からトランスポートストリーム（ＴＳ）などの動画データ（以下ストリームと称する）を取得する。復調部１１２は、取得したストリームを信号処理部１１３に入力する。なお、映像処理装置１００は、複数の復調部１１２を備えていてもよい。複数の復調部１１２は、複数のチューナ１１１により選局された複数の信号をそれぞれ復調することができる。
【００２２】
上記のように、アンテナ１０１、チューナ１１１、及び復調部１１２は、ストリームを受信する受信手段として機能する。
【００２３】
信号処理部１１３は、ストリームの分離などの信号処理を行う。即ち、信号処理部１１３は、ストリームをディジタル映像信号、ディジタル音声信号、及びその他のデータ信号に分離する。なお、信号処理部１１３は、複数の復調部１１２により復調された複数のストリームを分離することができる。信号処理部１１３は、音声処理部１２１にディジタル音声信号を供給する。また、信号処理部１１３は、映像処理部１３１にディジタル映像信号を供給する。さらに、信号処理部１１３は、制御部１５０にデータ信号を供給する。
【００２４】
また、信号処理部１１３は、制御部１５０の制御に基づいて、上記のストリームを録画可能な状態のデータ（録画ストリーム）に変換することができる。信号処理部１１３は、制御部１５０の制御に基づいて、録画ストリームをストレージ１６０または他のモジュールに供給することができる。
【００２５】
またさらに、信号処理部１１３は、ストリームのビットレートをオリジナルのビットレートから他のビットレートに変換（トランスコード）することができる。即ち、信号処理部１１３は、放送信号などに基づいて取得したオリジナルのビットレートのストリームを、より低いビットレートのストリームにトランスコードすることができる。これにより、信号処理部１１３は、より容量の少ない状態でコンテンツを録画させることができる。
【００２６】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００２７】
映像処理部１３１は、信号処理部１１３から受信したディジタル映像信号を、ディスプレイ１３４で再生可能なフォーマットの映像信号に変換する。即ち、映像処理部１３１は、信号処理部１１３から受信したディジタル映像信号を、ディスプレイ１３４で再生可能なフォーマットの映像信号にデコード（再生）する。映像処理部１３１は、映像信号を表示処理部１３３に出力する。
【００２８】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００２９】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００３０】
なお、映像処理装置１００は、ディスプレイ１３４の代わりに、映像信号を出力する出力端子を備える構成であってもよい。また、映像処理装置１００は、スピーカ１２２の代わりに、オーディオ信号を出力する出力端子を備える構成であってもよい。また、映像処理装置１００は、ディジタル映像信号とディジタル音声信号とを出力する出力端子を備える構成であってもよい。
【００３１】
制御部１５０は、映像処理装置１００の各部の動作を制御する制御手段として機能する。制御部１５０は、ＣＰＵ１５１、ＲＯＭ１５２、ＲＡＭ１５３、及びＥＥＰＲＯＭ（不揮発性メモリ）１５４などを備えている。制御部１５０は、操作入力部１６１から供給される操作信号に基づいて、種々の処理を行う。
【００３２】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００３３】
ＲＯＭ１５２は、映像処理装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３４】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３５】
ＥＥＰＲＯＭ１５４は、各種の設定情報、及びプログラムなどを記憶する不揮発性メモリである。
【００３６】
ストレージ１６０は、コンテンツを記憶する記憶媒体を有する。例えば、ストレージ１６０は、ハードディスクドライブ（ＨＤＤ）、ソリッドステイトドライブ（ＳＳＤ）、または半導体メモリなどにより構成される。ストレージ１６０は、信号処理部１１３から供給された録画ストリームを記憶することができる。
【００３７】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。
【００３８】
なお、タッチパッドは、静電容量式センサ、サーモセンサ、または他の方式に基づいて位置情報を生成するデバイスを含む。また、映像処理装置１００がディスプレイ１３４を備える場合、操作入力部１６１は、ディスプレイ１３４と一体に形成されるタッチパネルなどを備える構成であってもよい。
【００３９】
受光部１６２は、例えば、リモートコントローラ１６３からの操作信号を受信するセンサなどを備える。受光部１６２は、受信した信号を制御部１５０に供給する。制御部１５０は、受光部１６２から供給された信号を受信し、受信した信号を増幅させてＡ／Ｄ変換を行うことにより、リモコン１６３から送信された元の操作信号を復号する。
【００４０】
リモートコントローラ１６３は、ユーザの操作入力に基づいて操作信号を生成する。リモートコントローラ１６３は、生成した操作信号を赤外線通信により受光部１６２に送信する。なお、受光部１６２及びリモートコントローラ１６３は、電波などの他の無線通信により操作信号の送受信を行う構成であってもよい。
【００４１】
ＬＡＮインターフェース１７１は、ＬＡＮまたは無線ＬＡＮにより無線通信端末３００経由でネットワーク４００上の他の機器と通信を行なうことができる。これにより、映像処理装置１００は、無線通信端末３００に接続されている他の機器と通信することができる。例えば、映像処理装置１００は、ＬＡＮインターフェース１７１によりネットワーク４００上の機器に記録されているストリームを取得し、再生することができる。
【００４２】
有線通信部１７３は、ＨＤＭＩ及びＭＨＬなどの規格に基づいて通信を行うインターフェースである。有線通信部１７３は、ＨＤＭＩケーブル及びＭＨＬケーブルを接続することができる図示されない複数のＨＤＭＩ端子と、ＨＤＭＩ規格に基づいて信号処理を行うＨＤＭＩ処理部１７４と、ＭＨＬ規格に基づいて信号処理を行うＭＨＬ処理部１７５とを備える。
【００４３】
なお、ＭＨＬケーブルの映像処理装置１００に接続される側の端子は、ＨＤＭＩケーブルと互換性のある構造を備えている。なお、ＭＨＬケーブルは、通信に用いられない端子（検知用端子）間に抵抗が接続されている。有線通信部１７３は、検知用端子に電圧を印加することにより、ＨＤＭＩ端子にＭＨＬケーブルが接続されているかＨＤＭＩケーブルが接続されているかを認識することができる。
【００４４】
映像処理装置１００は、有線通信部１７３のＨＤＭＩ端子に接続された機器（ソース機器）から出力されたストリームを受信し、再生することができる。
【００４５】
制御部１５０は、有線通信部１７３により受信したストリームを信号処理部１１３に入力させる。信号処理部１１３は、受信したストリームからディジタル映像信号、及びディジタル音声信号などを分離する。信号処理部１１３は、分離したディジタル映像信号を映像処理部１３１に送信し、分離したディジタル音声信号を音声処理部１２１に送信する。これにより、映像処理装置１００は、有線通信部１７３により受け取ったストリームを再生することができる。
【００４６】
また、映像処理装置１００は、図示しない電源部を備える。電源部は、商用電源などから電力を受け取る。電源部は、受け取った交流の電力を直流に変換し、映像処理装置１００内の各部へ供給する。
【００４７】
図３は、一実施形態に係る携帯端末２００の例を示す。  
携帯端末２００は、制御部２５０、操作入力部２６４、通信部２７１、ＭＨＬ処理部２７３、及び記憶装置２７４を備える。さらに、携帯端末２００は、スピーカ２２２、マイク２２３、ディスプレイ２３４、タッチセンサ２３５を備える。
【００４８】
制御部２５０は、携帯端末２００の各部の動作を制御する制御部として機能する。制御部２５０は、ＣＰＵ２５１、ＲＯＭ２５２、ＲＡＭ２５３、及び不揮発性メモリ２５４などを備えている。制御部２５０は、操作入力部２６４、またはタッチセンサ２３５から供給される操作信号に基づいて、種々の処理を行う。
【００４９】
ＣＰＵ２５１は、種々の演算処理を実行する演算素子などを備える。ＣＰＵ２５１は、ＲＯＭ２５２、または不揮発性メモリ２５４などに記憶されているプログラムを実行することにより種々の機能を実現する。
【００５０】
ＲＯＭ２５２は、携帯端末２００を制御する為のプログラム、及び各種の機能を実現する為のプログラムなどを記憶する。ＣＰＵ２５１は、操作入力部２６４から供給される操作信号に基づいて、ＲＯＭ２５２に記憶されているプログラムを起動する。これにより、制御部２５０は、各部の動作を制御する。
【００５１】
ＲＡＭ２５３は、ＣＰＵ２５１のワークメモリとして機能する。即ち、ＲＡＭ２５３は、ＣＰＵ２５１の演算結果、ＣＰＵ２５１により読み込まれたデータなどを記憶する。
【００５２】
不揮発性メモリ２５４は、各種の設定情報、及びプログラムなどを記憶する不揮発性メモリである。
【００５３】
また、ＣＰＵ２５１は、記憶装置２７４に格納されているアプリケーションなどのデータに基づいて、種々の処理を実行することができる。
【００５４】
また、制御部２５０は、ＣＰＵ２５１が実行しているアプリケーションに応じて、種々の画面などの表示用の映像信号を生成し、ディスプレイ２３４に表示させることができる。また、制御部２５０は、ＣＰＵ２５１が実行しているアプリケーションに応じて、種々の音声などの再生用の音声信号を生成し、スピーカ２２２により出力させることができる。
【００５５】
スピーカ２２２は、供給されるオーディオ信号に基づいて音を再生する。
【００５６】
マイク２２３は、携帯端末２００の外部の音に基づいて信号（録音信号）を生成する集音部である。マイク２２３は、録音信号を制御部２５０に供給する。
【００５７】
ディスプレイ２３４は、例えば、マトリクス状に配列された複数の画素を備える液晶表示パネルと、この液晶パネルを照明するバックライトとを備える液晶表示装置などを備える。ディスプレイ２３４は、映像信号に基づいて映像を表示する。
【００５８】
タッチセンサ２３５は、静電容量式センサ、サーモセンサ、または他の方式に基づいて位置情報を生成するデバイスである。例えば、タッチセンサ２３５は、ディスプレイ２３４と一体に設けられる。これにより、タッチセンサ２３５は、ディスプレイ２３４に表示されている画面上での操作に基づいて操作信号を生成し、制御部２５０に供給することができる。
【００５９】
操作入力部２６４は、例えば、ユーザによる操作入力に応じて操作信号を生成するキーを備える。操作入力部２６４は、例えば、音量を調整する為の音量調整キー、ディスプレイ２３４の表示輝度を調整する為の輝度調整キー、及び、携帯端末２００電源状態を切り替える為の電源キーなどを備える。また、操作入力部２６４は、種々の選択操作などを携帯端末２００に実行させる為のトラックボールなどをさらに備えていてもよい。操作入力部２６４は、上記したキーの操作に応じて操作信号を生成し、操作信号を制御部２５０に供給する。
【００６０】
また、操作入力部２６４は、キーボード、マウス、または操作信号を生成する事ができる他の入力装置などから操作信号を受け取る構成であってもよい。例えば、携帯端末２００がＵＳＢ端子、またはＢｌｕｅｔｏｏｔｈ（登録商標）のモジュールなどを備えている場合、操作入力部２６４は、ＵＳＢ、またはＢｌｕｅｔｏｏｔｈにより接続された入力装置から操作信号を受け取り、制御部２５０に供給する。
【００６１】
通信部２７１は、ＬＡＮまたは無線ＬＡＮにより無線通信端末３００経由でネットワーク４００上の他の機器と通信を行なうことができる。また、通信部２７１は、携帯電話網経由でネットワーク４００上の他の機器と通信を行なうことができる。これにより、携帯端末２００は、無線通信端末３００に接続されている他の機器と通信することができる。例えば、携帯端末２００は、通信部２７１によりネットワーク４００上の機器に記録されている動画、写真、音楽データ、及びＷＥＢコンテンツなどを取得し、再生することができる。
【００６２】
ＭＨＬ処理部２７３は、ＭＨＬ規格に基づいて通信を行うインターフェースである。ＭＨＬ処理部２７３は、ＭＨＬ規格に基づいて信号処理を行う。また、ＭＨＬ処理部２７３は、ＭＨＬケーブルを接続することができる図示されないＵＳＢ端子を有する。
【００６３】
携帯端末２００は、ＭＨＬ処理部２７３のＵＳＢ端子に接続された機器（シンク機器）に対してストリームを出力することができる。
【００６４】
またさらに、ＭＨＬ処理部２７３は、表示用映像信号及び再生用音声信号を重畳し、ストリームを生成することができる。
【００６５】
例えば、ＭＨＬ処理部２７３のＵＳＢ端子にＭＨＬケーブルが接続されており、ソース機器として動作する場合、制御部２５０は、表示用映像信号及び再生用音声信号をＭＨＬ処理部２７３に供給する。ＭＨＬ処理部２７３は、表示用映像信号及び再生用音声信号を用いて種々のフォーマット（例えば１０８０ｉ，６０Ｈｚ）のストリームを生成することができる。制御部２５０は、生成したストリームをＵＳＢ端子に接続されたシンク機器に対して出力することができる。
【００６６】
また、携帯端末２００は、図示しない電源部を備える。電源部は、バッテリーと、商用電源などから電力を受け取るアダプタと接続する為の端子（例えばＤＣジャック）と、を備える。電源部は、商用電源から受け取った電力をバッテリーに充電する。また、電源部は、バッテリーに充電されている電力を携帯端末２００内の各部へ供給する。
【００６７】
記憶装置２７４は、ハードディスクドライブ（ＨＤＤ）、ソリッドステイトドライブ（ＳＳＤ）、または半導体メモリなどを備える。記憶装置２７４は、制御部２５０のＣＰＵ２５１により実行されるプログラム、アプリケーション、動画などのコンテンツ、及び種々のデータなどを記憶することができる。
【００６８】
図４は、ＭＨＬ規格に基づいた通信の例を示す。なお、この実施形態では、携帯端末２００がソース機器であり、映像処理装置１００がシンク機器であるとして説明する。
【００６９】
携帯端末２００のＭＨＬ処理部２７３は、トランスミッタ２７６を有する。また、映像処理装置１００のＭＨＬ処理部１７５は、レシーバ１７６を有する。
【００７０】
トランスミッタ２７６とレシーバ１７６とは、ＭＨＬケーブルにより接続される。ＭＨＬケーブルは、ＶＢＵＳ、ＧＮＤ、ＣＢＵＳ、ＭＨＬ＋、及びＭＨＬ−などのラインを有する。
【００７１】
ＶＢＵＳは、電力を伝送する為のラインである。例えば、シンク機器は、ＶＢＵＳによりソース機器に＋５Ｖの電力を供給する。ソース機器は、シンク機器からＶＢＵＳにより供給された電力により動作することができる。例えば、ソース機器である携帯端末２００の電源部は、シンク機器からＶＢＵＳにより供給された電力をバッテリーに充電することができる。ＧＮＤは、接地されたラインである。
【００７２】
ＣＢＵＳは、例えばコマンドなどの制御信号を伝送する為のラインである。ＣＢＵＳは、例えば、ＤＤＣ（Display Data Channel）コマンドまたはＭＳＣ（MHL Sideband channel）コマンドなどを双方向で伝送するために使用される。ＤＤＣコマンドは、ＥＤＩＤ（Extended Display Identification Data）の読み出し、及びＨＤＣＰ（High-bandwidth Digital Content Protection）認証などに使用される。ＥＤＩＤは、ディスプレイなどのスペックに応じて予め設定されたディスプレイ情報のリストである。また、ＭＳＣコマンドは、図示されない各種レジスタのリードライト及びリモコン制御等に使用される。
【００７３】
例えば、シンク機器である映像処理装置１００は、ＣＢＵＳによりコマンドをソース機器である携帯端末２００に対して出力する。携帯端末２００は、受信したコマンドに応じて種々の処理を実行することができる。
【００７４】
ソース機器は、シンク機器に対してＤＤＣコマンドを送信することにより、シンク機器とＨＤＣＰ認証を行い、シンク機器からＥＤＩＤを読み出すことができる。
【００７５】
ＨＤＣＰは、機器間で伝送される信号を暗号化する方式である。映像処理装置１００及び携帯端末２００は、ＨＤＣＰに準拠した手順で鍵などの送受信を行い、相互認証を行う。互いに認証された場合、映像処理装置１００及び携帯端末２００は、互いに暗号化された信号をやりとりすることができる。
【００７６】
携帯端末２００は、映像処理装置１００から取得したＥＤＩＤを解析し、映像処理装置１００により処理が可能な解像度、色深度、及び伝送周波数などのフォーマットを示すディスプレイ情報を認識する。携帯端末２００は、映像処理装置１００が処理可能な解像度、色深度、及び伝送周波数などのフォーマットでストリームを生成する。
【００７７】
ＭＨＬ＋及びＭＨＬ−は、データを伝送する為のラインである。ＭＨＬ＋及びＭＨＬ−は、２つのラインで１対のツイストペアとして機能する。例えば、ＭＨＬ＋及びＭＨＬ−は、ＴＭＤＳ（Transition Minimized Differential Signaling）方式でデータを伝送するＴＭＤＳ  ｃｈａｎｎｅｌとして機能する。また、ＭＨＬ＋及びＭＨＬ−は、ＴＭＤＳ方式での同期信号（ＭＨＬクロック）を伝送することができる。
【００７８】
例えば、ソース機器は、ＴＭＤＳ  ｃｈａｎｎｅｌによりストリームをシンク機器に対して出力することができる。即ち、ソース機器として機能するする携帯端末２００は、ディスプレイ２３４に表示される映像（表示画面）及びスピーカ２２２から出力される音声が変換されたストリームをシンク機器である映像処理装置１００に伝送することができる。映像処理装置１００は、ＴＭＤＳ  ｃｈａｎｎｅｌにより送信されたストリームを受け取り、受け取ったストリームに対して信号処理を施し、再生する。
【００７９】
図５は、映像処理装置１００の有線通信部１７３の例を示す。  
有線通信部１７３は、上記したようにＨＤＭＩ処理部１７４、及びＭＨＬ処理部１７５を備える。また、有線通信部１７３は、上記したように、複数のＨＤＭＩ端子１７３１Ａ、１７３１Ｂ（総じてＨＤＭＩ端子１７３１と称する）を備える。また、有線通信部１７３は、スイッチ（ＳＷ）１７３２及び１７３３、出力部１７３４、及びマイコン１７３５を備える。なお、ＨＤＭＩ処理部１７４、ＭＨＬ処理部１７５、ＳＷ１７３２、ＳＷ１７３３、出力部１７３４、及びマイコン１７３５は、例えば、１つのＩＣチップ内に一体として形成されていてもよい。
【００８０】
ＨＤＭＩ端子１７３１Ａ及び１７３１Ｂは、ＨＤＭＩ処理部１７４に接続されている。また、ＨＤＭＩ端子１７３１Ａ及び１７３１Ｂの出力は、ＳＷ１７３２にも接続されている。即ち、ＳＷ１７３２は、２つの入力端子がＨＤＭＩ端子１７３１Ａ及び１７３１Ｂにそれぞれ接続されている。
【００８１】
また、ＳＷ１７３２の出力端子は、ＭＨＬ処理部１７５に接続されている。ＳＷ１７３２は、２つの入力端子のいずれかと、出力端子との接続を切り替える。即ち、ＳＷ１７３２は、ＨＤＭＩ端子１７３１ＡとＨＤＭＩ端子１７３１Ｂとの何れかと、ＭＨＬ処理部１７５とを接続する。ＳＷ１７３２は、マイコン１７３５の制御に基づいて、ＭＨＬ処理部１７５に接続するＨＤＭＩ端子１７３１を切り替える。
【００８２】
ＨＤＭＩ処理部１７４及びＭＨＬ処理部１７５の出力端子は、ＳＷ１７３３の２つの入力端子にそれぞれ接続されている。また、ＳＷ１７３３の出力端子は、出力部１７３４に接続されている。ＳＷ１７３３は、２つの入力端子のいずれかと、出力端子との接続を切り替える。即ち、ＳＷ１７３３は、ＨＤＭＩ処理部１７４の出力と、ＭＨＬ処理部１７５の出力との何れかを出力部１７３４に供給する。なお、ＳＷ１７３３は、制御部１５０、またはマイコン１７３５の制御に基づいて、出力部１７３４にＨＤＭＩ処理部１７４の出力を接続するかＭＨＬ処理部１７５の出力を接続するかを切り替える。出力部１７３４は、入力された信号を制御部１５０に出力する。
【００８３】
マイコン１７３５は、ＨＤＭＩ端子１７３１にＭＨＬケーブルが接続されているか否か判断する。即ち、マイコン１７３５は、ＨＤＭＩ端子１７３１ＡにＭＨＬケーブルが接続されているか否か判断する。また、マイコン１７３５は、ＨＤＭＩ端子１７３１ＢにＭＨＬケーブルが接続されているか否か判断する。
【００８４】
マイコン１７３５は、ＨＤＭＩ端子１７３１にＭＨＬケーブルが接続されているか否かに基づいて、ＳＷ１７３２を制御する。例えば、マイコン１７３５は、ＨＤＭＩ端子１７３１ＡにＭＨＬケーブルが接続されていると判断した場合、ＨＤＭＩ端子１７３１Ａの出力がＭＨＬ処理部１７５に入力されるようにＳＷ１７３２を制御する。また、マイコン１７３５は、ＨＤＭＩ端子１７３１ＢにＭＨＬケーブルが接続されていると判断した場合、ＨＤＭＩ端子１７３１Ｂの出力がＭＨＬ処理部１７５に入力されるようにＳＷ１７３２を制御する。即ち、マイコン１７３５は、ＭＨＬケーブルが接続されているＨＤＭＩ端子１７３１の出力がＭＨＬ処理部１７５に入力されるようにＳＷ１７３２を制御する。
【００８５】
これにより、有線通信部１７３は、ＨＤＭＩ端子１７３１によりソース機器から供給されたストリームをＭＨＬ処理部１７５に入力させることができる。また、有線通信部１７３は、複数のＨＤＭＩ端子１７３１とＭＨＬ処理部１７５との接続をスイッチにより切り替える為、複数のＨＤＭＩ端子１７３１のいずれかに供給されたストリームを１つのＭＨＬ処理部１７５が処理することができる。
【００８６】
このような構成によると、図６に示されるように、あるＨＤＭＩ端子「ＨＤＭＩ１」に接続されていたＭＨＬケーブルが他のＨＤＭＩ端子「ＨＤＭＩ２」に差し替えられた場合であっても、映像処理装置１００は、ストリームを再生することができる。
【００８７】
即ち、複数のＨＤＭＩ端子１７３１のうちのどの端子にＭＨＬケーブルが接続された場合であっても、有線通信部１７３は、ＭＨＬケーブルが接続されたＨＤＭＩ端子１７３１とＭＨＬ処理部１７５とを接続することができる。これにより、ユーザは、ＭＨＬに対応したＨＤＭＩ端子１７３１を意識することなく、映像処理装置１００にＭＨＬケーブルを接続することができる。
【００８８】
この結果、より低いコストで高い利便性を有する受信装置、送信装置、及び送受信システムを提供することができる。
【００８９】
図７は、映像処理装置１００の有線通信部１７３の他の例を示す。  
有線通信部１７３は、上記したようにＨＤＭＩ処理部１７４と、複数のＭＨＬ処理部１７５Ａ及び１７５Ｂとを備える。また、有線通信部１７３は、上記したように、複数のＨＤＭＩ端子１７３１Ａ、１７３１Ｂ、１７３１Ｃ、乃至１７３１Ｎ（総じてＨＤＭＩ端子１７３１と称する）を備える。また、有線通信部１７３は、スイッチ（ＳＷ）１７３２及び１７３３、出力部１７３４、及びマイコン１７３５を備える。なお、ＨＤＭＩ処理部１７４、ＭＨＬ処理部１７５、ＳＷ１７３２、ＳＷ１７３３、出力部１７３４、及びマイコン１７３５は、例えば、１つのＩＣチップ内に一体として形成されていてもよい。
【００９０】
ＨＤＭＩ端子１７３１Ａ、１７３１Ｂ、１７３１Ｃ、乃至１７３１Ｎは、ＨＤＭＩ処理部１７４に接続されている。また、ＨＤＭＩ端子１７３１Ａ、１７３１Ｂ、１７３１Ｃ、乃至１７３１Ｎの出力は、ＳＷ１７３２にも接続されている。即ち、ＳＷ１７３２は、４つの入力端子がＨＤＭＩ端子１７３１Ａ、１７３１Ｂ、１７３１Ｃ、乃至１７３１Ｎにそれぞれ接続されている。
【００９１】
また、ＳＷ１７３２の２つの出力端子は、ＭＨＬ処理部１７５Ａ及びＭＨＬ処理部１７５Ｂにそれぞれ接続されている。ＳＷ１７３２は、４つの入力端子と、２つの出力端子との接続を切り替える。即ち、ＳＷ１７３２は、ＨＤＭＩ端子１７３１Ａ、１７３１Ｂ、１７３１Ｃ、乃至１７３１Ｎと、ＭＨＬ処理部１７５Ａ及びＭＨＬ処理部１７５Ｂとの接続を切り替える。ＳＷ１７３２は、マイコン１７３５の制御に基づいて、複数のＭＨＬ処理部１７５に接続するＨＤＭＩ端子１７３１を切り替える。
【００９２】
これにより、ＳＷ１７３２は、ＨＤＭＩ端子１７３１Ａ、１７３１Ｂ、１７３１Ｃ、乃至１７３１Ｎのうちの２つをＭＨＬ処理部１７５Ａ及びＭＨＬ処理部１７５Ｂに接続することができる。
【００９３】
ＨＤＭＩ処理部１７４、ＭＨＬ処理部１７５Ａ、及びＭＨＬ処理部１７５Ｂの出力端子は、ＳＷ１７３３の３つの入力端子にそれぞれ接続されている。また、ＳＷ１７３３の出力端子は、出力部１７３４に接続されている。ＳＷ１７３３は、３つの入力端子のいずれかと、出力端子との接続を切り替える。即ち、ＳＷ１７３３は、ＨＤＭＩ処理部１７４の出力と、ＭＨＬ処理部１７５Ａの出力と、ＭＨＬ処理部１７５Ｂの出力との何れかを出力部１７３４に供給する。なお、ＳＷ１７３３は、制御部１５０、またはマイコン１７３５の制御に基づいて、出力部１７３４にＨＤＭＩ処理部１７４の出力を接続するか、ＭＨＬ処理部１７５Ａの出力を接続するか、ＭＨＬ処理部１７５Ｂの出力を接続するかを切り替える。出力部１７３４は、入力された信号を制御部１５０に出力する。
【００９４】
マイコン１７３５は、ＨＤＭＩ端子１７３１にＭＨＬケーブルが接続されているか否か判断する。即ち、マイコン１７３５は、ＨＤＭＩ端子１７３１Ａ乃至１７３１ＤにＭＨＬケーブルが接続されているか否かをそれぞれ判断する。
【００９５】
マイコン１７３５は、ＨＤＭＩ端子１７３１にＭＨＬケーブルが接続されているか否かに基づいて、ＳＷ１７３２を制御する。例えば、マイコン１７３５は、ＨＤＭＩ端子１７３１ＡにＭＨＬケーブルが接続されていると判断した場合、ＨＤＭＩ端子１７３１Ａの出力がＭＨＬ処理部１７５Ａまたは１７５Ｂに入力されるようにＳＷ１７３２を制御する。
【００９６】
また、マイコン１７３５は、ＨＤＭＩ端子１７３１ＢにＭＨＬケーブルが接続されていると判断した場合、ＨＤＭＩ端子１７３１Ｂの出力がＭＨＬ処理部１７５Ａまたは１７５Ｂに入力されるようにＳＷ１７３２を制御する。
【００９７】
また、マイコン１７３５は、ＨＤＭＩ端子１７３１ＣにＭＨＬケーブルが接続されていると判断した場合、ＨＤＭＩ端子１７３１Ｃの出力がＭＨＬ処理部１７５Ａまたは１７５Ｂに入力されるようにＳＷ１７３２を制御する。
【００９８】
また、マイコン１７３５は、ＨＤＭＩ端子１７３１ＤにＭＨＬケーブルが接続されていると判断した場合、ＨＤＭＩ端子１７３１Ｄの出力がＭＨＬ処理部１７５Ａまたは１７５Ｂに入力されるようにＳＷ１７３２を制御する。即ち、マイコン１７３５は、ＭＨＬケーブルが接続されているＨＤＭＩ端子１７３１の出力がＭＨＬ処理部１７５Ａまたは１７５Ｂに入力されるようにＳＷ１７３２を制御する。
【００９９】
これにより、有線通信部１７３は、ＨＤＭＩ端子１７３１によりソース機器から供給されたストリームをＭＨＬ処理部１７５Ａまたは１７５Ｂに入力させることができる。また、有線通信部１７３は、複数のＨＤＭＩ端子１７３１とＭＨＬ処理部１７５Ａまたは１７５Ｂとの接続をスイッチにより切り替える為、複数のＨＤＭＩ端子１７３１のいずれかに供給されたストリームをＭＨＬ処理部１７５Ａまたは１７５Ｂが処理することができる。
【０１００】
また、マイコン１７３５は、ＨＤＭＩ端子１７３１にＭＨＬケーブルが新たに接続された場合、処理を実行可能なＭＨＬ処理部が存在するか否か判断する。即ち、マイコン１７３５は、ＨＤＭＩ端子１７３１に接続されていないＭＨＬ処理部が存在するか否か判断する。
【０１０１】
ＨＤＭＩ端子１７３１に接続されていないＭＨＬ処理部が存在しない場合、即ち、ＭＨＬ処理部１７５Ａ及び１７５ＢがそれぞれいずれかのＨＤＭＩ端子１７３１に接続されている場合、マイコン１７３５は、１つのＭＨＬ処理部１７５が処理可能になるようにＳＷ１７３２を制御する。即ち、マイコン１７３５は、ＭＨＬ処理部１７５Ａまたは１７５ＢがＨＤＭＩ端子１７３１に接続されないようにスイッチオフする。さらに、マイコン１７３５は、新たにＭＨＬケーブルが接続されたＨＤＭＩ端子１７３１がＭＨＬ処理部１７５に接続されるようにＳＷ１７３２を制御する。
【０１０２】
即ち、有線通信部１７３は、処理可能なＭＨＬ１７５が存在しない場合、既に接続されているＨＤＭＩ端子１７３１とＭＨＬ処理部１７５との接続をオフする。さらに、有線通信部１７３は、新たにＭＨＬケーブルが接続されたＨＤＭＩ端子１７３１を、接続がオフされたＭＨＬ処理部１７５に接続する。
【０１０３】
なお、マイコン１７３５は、ＨＤＭＩ端子１７３１にＭＨＬケーブルが接続された順番をメモリなどに記憶する構成であってもよい。この場合、マイコン１７３５は、最も早くＭＨＬケーブルが接続されたＨＤＭＩ端子１７３１を特定することができる。例えば、マイコン１７３５は、特定したＨＤＭＩ端子１７３１とＭＨＬ処理部１７５との接続をオフし、新たにＭＨＬケーブルが接続されたＨＤＭＩ端子１７３１を、接続がオフされたＭＨＬ処理部１７５に接続する。これにより、有線通信部１７３は、接続された順番が古い順にＨＤＭＩ端子１７３１とＭＨＬ処理部１７５との接続をオフすることができる。
【０１０４】
図８は、図７に示された有線通信部１７３の処理の例を示す。  
マイコン１７３５は、ＨＤＭＩ端子１７３１にＭＨＬケーブルが接続されているか否か判断する（ブロックＢ１１）。ＨＤＭＩ端子１７３１にＭＨＬケーブルが接続されていない場合、マイコン１７３５は、ＨＤＭＩ端子１７３１とＭＨＬ処理部１７５との接続をオフ（スイッチオフ）する（ブロックＢ１２）。
【０１０５】
マイコン１７３５は、ＨＤＭＩ端子１７３１にＭＨＬケーブルが新たに接続された場合、処理を実行可能なＭＨＬ処理部が存在するか否か判断する（ブロックＢ１３）。即ち、マイコン１７３５は、ＨＤＭＩ端子１７３１に接続されていないＭＨＬ処理部が存在するか否か判断する。
【０１０６】
処理を実行可能なＭＨＬ処理部が存在する場合、マイコン１７３５は、新たにＭＨＬケーブルが接続されたＨＤＭＩ端子１７３１を、ＭＨＬ処理部１７５に接続（スイッチオン）する（ブロックＢ１４）。
【０１０７】
また、処理を実行可能なＭＨＬ処理部が存在しない場合、マイコン１７３５は、ＭＨＬ処理部１７５と既にＭＨＬケーブルが接続されているＨＤＭＩ端子１７３１とをスイッチオフする（ブロックＢ１５）。さらに、マイコン１７３５は、新たにＭＨＬケーブルが接続されたＨＤＭＩ端子１７３１をＭＨＬ処理部１７５に接続（スイッチオン）する（ブロックＢ１６）。
【０１０８】
このような構成によると、図９に示されるように、あるＨＤＭＩ端子「ＨＤＭＩ１」に接続されていたＭＨＬケーブルが接続されていた状態で、新たにＨＤＭＩ端子「ＨＤＭＩ２」にＭＨＬケーブルが接続された場合、有線通信部１７３は、ＨＤＭＩ端子「ＨＤＭＩ１」とＨＤＭＩ端子「ＨＤＭＩ２」とをＭＨＬ処理部１７５Ａ及び１７５Ｂにそれぞれ接続することができる。
【０１０９】
さらに、新たにＨＤＭＩ端子「ＨＤＭＩ３」にＭＨＬケーブルが接続された場合、有線通信部１７３は、先に接続されていたＨＤＭＩ端子「ＨＤＭＩ１」とＭＨＬ処理部１７５との接続をオフする。さらに、有線通信部１７３は、ＨＤＭＩ端子「ＨＤＭＩ３」とＭＨＬ処理部１７５とを接続する。
【０１１０】
さらに、有線通信部１７３は、ＨＤＭＩ端子１７３１に接続されていたＭＨＬケーブルが抜かれた場合、メモリを参照して直前に接続をオフしたＨＤＭＩ端子１７３１とＭＨＬ処理部１７５とを接続し直す構成であってもよい。
【０１１１】
例えば、新たにＨＤＭＩ端子「ＨＤＭＩ３」からＭＨＬケーブルが抜かれた場合、有線通信部１７３は、直前に接続がオフされたＨＤＭＩ端子「ＨＤＭＩ１」とＭＨＬ処理部１７５とを接続し直す。
【０１１２】
これにより、ユーザは、他のＭＨＬケーブルを接続し直す必要が無くなる。この結果、より低いコストで高い利便性を有する受信装置、送信装置、及び送受信システムを提供することができる。
【０１１３】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１１４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１１５】
１…送受信システム、１００…映像処理装置、１０１…アンテナ、１１１…チューナ、１１２…復調部、１１３…信号処理部、１２１…音声処理部、１２２…スピーカ、１３１…映像処理部、１３３…表示処理部、１３４…ディスプレイ、１５０…制御部、１５１…ＣＰＵ、１５２…ＲＯＭ、１５３…ＲＡＭ、１５４…ＥＥＰＲＯＭ、１６０…ストレージ、１６１…操作入力部、１６２…受光部、１６３…リモートコントローラ、１７１…ＬＡＮインターフェース、１７３…有線通信部、１７４…ＨＤＭＩ処理部、１７５…ＭＨＬ処理部、１７６…レシーバ、２００…携帯端末、２２２…スピーカ、２２３…マイク、２３４…ディスプレイ、２３５…タッチセンサ、２５０…制御部、２５１…ＣＰＵ、２５２…ＲＯＭ、２５３…ＲＡＭ、２５４…不揮発性メモリ、２６４…操作入力部、２７１…通信部、２７３…ＭＨＬ処理部、２７４…記憶装置、２７６…トランスミッタ、３００…無線通信端末、４００…ネットワーク。
【図１】
2015005800.tif 000003
【図２】
2015005800.tif 000004
【図３】
2015005800.tif 000005
【図４】
2015005800.tif 000006
【図５】
2015005800.tif 000007
【図６】
2015005800.tif 000008
【図７】
2015005800.tif 000009
【図８】
2015005800.tif 000010
【図９】
2015005800.tif 000011